(57)【要約】【課題】屋根部材ばたつきを抑えつつ、屋根の雨水を軒樋に導きやすくすることができる屋根構造を提供する。【解決手段】後方に向かう下り勾配の複数の屋根部材４１がその側端部で上下に重合された重合部４５を介して左右に接続されて屋根４が形成され、前記屋根４の後端部４７の左右方向に沿って軒樋５が取付けられるとともに、前記軒樋５には、前記屋根部材４１の上面４３を流れる雨水を受ける軒樋本体５１と、前記屋根部材４１同士の重合部４５を上下から挟持する挟持部５６とを備えるようにすれば、屋根部材４１の重合部４５の風によるばたつき等を抑えつつ、屋根部材４１の上面４３を流れる雨水を軒樋本体５１に導水しやすくなる。【選択図】  図８
2015187362.tif 000002
【特許請求の範囲】
【請求項１】
後方に向かう下り勾配の複数の屋根部材がその側端部で上下に重合された重合部を介して左右に接続されて屋根が形成され、前記屋根の後端部の左右に沿って軒樋が取付けられるとともに、前記軒樋には、前記屋根部材の上面を流れる雨水を受ける軒樋本体と、前記屋根部材同士の重合部を上下から挟持する挟持部とを備えていることを特徴とする軒樋の連結構造。
【請求項２】
前記挟持部には、屋根部材の上面を流れる雨水を軒樋本体に通すための貫通孔が設けられていることを特徴とする請求項１に記載の屋根構造。
【発明の詳細な説明】
【技術分野】
【０００１】
本発明は、屋根付きの自動車駐車スペース、自転車置場、バス停等おいて、その屋根構造に関する。
【背景技術】
【０００２】
従来、自動車駐車スペース、自転車置場、バス停等の屋根に用いられる屋根は、地表に一列状に立設された支柱の上端に水平あるいはやや傾斜を付けて取付けられたものが知られている。この屋根は、一般には支柱の上端から前方に向けて張り出された梁間に架設された母屋上に取付けられて、この屋根の一端に軒樋が取付けられており、屋根の上面の雨水を軒樋に誘導するものである。
【０００３】
例えば、特許文献１には、
軒先に軒樋が設けられた屋根のけらばを覆うためのけらばカバーであって、前記けらば及び前記軒樋を側方から覆う化粧板部と、この化粧板部の上縁部から屋根上面に沿って突出して前記けらばの上面を覆う上覆い部と、この上覆い部の突出先端部に設けられて下流側端部が前記軒樋の上方にまで延出した流路部と、前記上覆い部に設けられて前記流路部を流れる雨水を前記軒樋に流下させるための開口部とを備えたけらばカバーが提案されている。
【先行技術文献】
【特許文献】
【０００４】
【特許文献１】特開２０１３−１８９７７２号公報
【発明の概要】
【発明が解決しようとする課題】
【０００５】
ところで、前記かばらカバーによると、けらばを覆うカバーに付着した雨水の大部分を軒樋に流すことができるものであるが、軒樋と並行に屋根部材を配置した屋根において、特に屋根部材同士の重合部付近は、風にあおられてばたつくおそれがあり、この付近を流れる雨水が重合部から下方に漏れにくく、軒樋に流しやすい構造が求められていた。
【０００６】
本発明は、前記の如き問題点を解消し、屋根部材ばたつきを抑えつつ、屋根の雨水を軒樋に導きやすくすることができる屋根構造を提供する。
【課題を解決するための手段】
【０００７】
上記目的を達成するために、本発明は次のような構成としている。
すなわちこの発明に係る軒樋の連結構造は、
後方に向かう下り勾配の複数の屋根部材がその側端部で上下に重合された重合部を介して左右に接続されて屋根が形成され、
前記屋根の後端部の左右に沿って軒樋が取付けられるとともに、
前記軒樋には、前記屋根部材の上面を流れる雨水を受ける軒樋本体と、前記屋根部材同士の重合部を上下から挟持する挟持部とを備えていることを特徴とするものである。
【０００８】
本発明にかかる軒樋の連結構造において、前記挟持部には、屋根部材の上面を流れる雨水を軒樋本体に通すための貫通孔が設けられているようにしてもよい。
【発明の効果】
【０００９】
本発明によれば、軒樋は、前記屋根部材の上面を流れる雨水を受ける軒樋本体と、前記屋根部の重合部を上下から挟持する挟持部とを備えているので、前記重合部付近の屋根部材のばたつきも抑えながら、屋根部材の上面を流れる雨水を軒樋本体に導水しやすくなる。
【００１０】
また本発明によれば、挟持部には、屋根部材の上面を流れる雨水を軒樋本体に通すための貫通孔が設けられているので、挟持部付近に滞留しうる雨水を軒樋本体に確実に導水することができる。
【図面の簡単な説明】
【００１１】
【図１】本発明に係る屋根構造の実施の一形態を示す正面図である。
【図２】図１の背面図である。
【図３】図１のＡ−Ａ断面における、一部を省略した拡大断面図である。
【図４】図３の母屋付近における、一部を省略した拡大断面図である。
【図５】図３のＢ−Ｂ断面における、一部を省略した拡大断面図である。
【図６】図５の屋根部材の重合部付近の説明図である
【図７】図３の屋根の後端部付近の拡大図。
【図８】図８の部分拡大図である。
【図９】図８の分解説明図であるである。
【図１０】本発明に係る屋根構造の実施の他の形態を示す屋根の後端部付近における、拡大断面図である。
【発明を実施するための形態】
【００１２】
次に、本発明を実施するための最良の形態について図面を参照し、具体的に説明する。
【００１３】
図１〜図３は、本発明に係る軒樋の取付構造の実施の一形態を示す説明図であって、図１は正面図、図２は背面図、図３は図１のＡ−Ａ断面における一部を省略した拡大断面図である。
【００１４】
支柱１は、一般には強度的に安定しておりコストの安い円筒状の鋼管が用いられるが、設置面に立設されるものであれば、例えば、横断矩形のパイプ状でもよく、横断面Ｔ字状やＨ字状でもよい。また材質としては、鋼製以外として、ステンレス合金やアルミニウム合金等の他の金属を用いたものでもよい。更に、支柱１の表面に防食性を高めるために亜鉛めっきや塗装等の表面処理を施してもよい。
【００１５】
梁２は前記支柱１に固定されている。該梁２は、支柱１と同様に、一般には強度的に安定しておりコストの安い円筒状の鋼管が用いられるが、設置面に立設されるものであれば、例えば、横断矩形の筒状でもよく、横断面Ｔ字状やＨ字状でもよい。また材質としては、鋼製以外として、ステンレス合金やアルミニウム合金等の他の金属を用いたものでもよい。更に、支柱１の表面に防食性を高めるために亜鉛めっきや塗装等の表面処理を施してもよい。
【００１６】
支柱１と梁２とは、本形態では、図３に示すように、インナースリーブ２１を介して連結されている。すなわち、支柱１と梁２とは、同径の円筒状に形成されており、支柱１と梁２と端部が突き合わされ、その突き合わせ部の内部にやや小径で筒状のインナースリーブ２１が支柱１と梁２とに挿入され、固定ボルト２２によって、支柱１と梁２とが連結されている。
【００１７】
支柱１と梁２とは、本形態では、支柱１の上端が前斜め上方に向けて屈曲され、その屈曲された先端に梁２の基端とがインナースリーブ２１を介して連結されて、梁２が前斜め上方に延びるようにして支持されており、かように連結するようにすることにより、輸送時に支柱１と梁２とを分離できるので好ましい。例えば、図示しないが、インナースリーブ２１を用いずに、端面同士を溶接により接合した形態でもよく、支柱１の上部を屈曲させて支柱１と梁２とを一体に設けた形態でもよく、支柱１に屈曲部を設けずに、支柱１の上端と梁２の先端部とを外側から覆って連結する連結金具を用いて形態でもよい。
【００１８】
母屋３は、一般にはアルミニウム合金を押出成型してなる断面矩形状の長尺形材を適宜長さに切断して用いるであって、本形態では、図１に示すように、左右の梁２間に前後に間隔をおいて３列配置されている。
【００１９】
図４は図３の母屋付近の拡大側面図である。母屋３は、本形態では、断面縦長長方形の筒状となされ、該母屋３の内部に挿通されて梁２を上下に貫通している固定ボルト３１によって梁２に固定されている。母屋３は、例えば、図示しないが、長尺の鋼板を幅方向に折り曲げて筒状に成形し、その両側端同士を溶接等の接合手段によって接合して筒状に形成したものを用いてもよい。
【００２０】
屋根４は、本形態では、前後方向に細長い平面視略長方形状の屋根部材４１が左右に複数配置されて形成されている。そして前後３列配置された母屋３上に載置されるとともに固定ビス４２を介して母屋３上に固定されている。固定ビス４２には、止水パッキン４２ａが取付けられており、雨水が固定ビス４２を伝って母屋３側に流れることを防ぐことができる。そして屋根４は、下斜め後方に向けて勾配が設けられており、屋根４の上面４３を流れる雨水は後方に向かって流れるので水切りが容易となる。
【００２１】
図５は図４のＢ−Ｂ断面における拡大断面図、図６は図５の屋根部材の重合部付近の説明図である。屋根４は、隣合う屋根部材４１の側端部同士が重合されている。本形態では、屋根部材４１の両側端部には、長手方向に延びる断面逆Ｕ字状の大突条４４が形成されており、大突条４４同士が上下に重合されて重合部４５が形成されている。したがって、屋根４の上面４３を流れる雨水は、前記大突条４４に遮られて後方に導水される。本形態では、屋根部材４１の両端部の大突条４４は、一方がやや大きく、他方がやや小さく形成されており、やや小さい大突条４４に対して、やや大きい大突条４４をＸ方向、すなわち上方から下方に移動させて、大突条４４同士が重ねられて前記重合部４５が形成される。
【００２２】
また屋根部材４１の中間部には、図５に示すように、両端部の大突条４４より低い断面逆Ｕ字状の小突条４６が前後方向に沿って形成されている。小突条４６は、本形態では、左右に間隔をあけて２個設けられている。なお、屋根部材４１の形態は、本形態に限定されるものでなく、本発明の趣旨を逸脱しない範囲で様々に形態を変更することができる。
【００２３】
次に、屋根に対する軒樋の取付構造について、図７〜図１０を用いて詳しく説明する。すなわち、図７は図３の屋根の後端部付近の拡大図、図８は図７の主要部の斜視図、図９は図８の部分拡大図、図１０は図８の分解説明図である。軒樋５は、屋根４の後端部４７に取付けられている。軒樋５は、縦断面略Ｕ字状に形成されて上方に向けて開口した軒樋本体５１を備えており、屋根４の上面４３を伝って流れる雨水が軒樋本体５１に流れ込んで、該軒樋本体５１の一端部に取付けられた縦樋５２を通じて地面側に排出される。前記軒樋本体５１の両側端部には蓋５３が取付けられている。
【００２４】
軒樋本体５１には、屋根４と連結するための連結部５４が設けられている。連結部５４は、本形態では、軒樋本体５１の上端から前方向に延設されている。そして、連結部５４の下方から屋根部材４１に向けて螺入された固定ビス５５を介して軒樋５が屋根４に固定される。また固定ビス５５には止水パッキン５５ａが取付けられており、前記固定ビス５５によって形成されたビス孔を伝って雨水が流れ落ちないようになされている。
【００２５】
また軒樋本体５１には、屋根４の重合部４５を上下から挟持する挟持部５６が左右方向に向けて形成されている。本形態では、軒樋本体５１の上端に形成されて該軒樋本体５１の開口側とは反対側に向けて開口しており、屋根４の後端部４７が挿入可能となされている。前記挟持部５６は、上壁部５６ａと下壁部５６ｂと、該上壁部５６ａと下壁部５６ｂとを連結する縦壁部５６ｃとによって、縦断面コ字状に形成されており、本形態では、下壁部５６ｂが前記連結部５４を兼ねている。
【００２６】
上壁部５６ａと下壁部５６ｂとは、本形態では、相対向する内壁面同士が略平行な平坦面が形成されており、またこの内壁面間の寸法は、屋根部材４１のやや大きい大突条４４の高さとほぼ一致するようになされている。これにより、屋根４の後端部４７を前記挟持部５６内に挿入すると、屋根４の重合部４５は、挟持部５６の上壁部５６ａと下壁部５６ｂによって上下方向の移動が抑えられるので、重合部４５の大突条４４同士の重なり合いが外れにくくなり、屋根４が風にあおられた時の後端部４７付近のばたつきを抑え、更に経年設置による屋根部材４１の側端部の上下方向の反り等の不具合を抑えて、前記重合部４５の大突条４４同士が重なり合った状態を長期間保持することができる。また重合部４５を通って雨水が下方に漏れ出すことも抑えることができる。なお、挟持部５６によって重合部４５を上下から挟持するとは、本形態のように、挟持部５６の上下の内壁面間の寸法は、やや大きい大突条４４の高さとほぼ一致するようになされた状態と、挟持部５６内で重合部４５を上下から押圧した状態で挟んだ形態と、挟持部５６内で重合部４５との上下方向において隙間が生じているものの重合部４５の大突条４４同士が外れないようになされた形態とを含む。
【００２７】
また、挟持部５６には、屋根４側から軒樋本体５１側に雨水を導水するための導水部５７が設けられている。本形態では、縦壁部５６ｃに前後に貫通する導水部５７としての貫通孔５７ａが設けられている。前記貫通孔５７ａは、本形態では、縦壁部５６ｃの下部において、左右方向に細長い小判状であって、屋根部材４１当たり九個左右方向に間隔をあけて一列に設けられている。なお、前記貫通孔５７ａの形状や個数は特に限定されるものではなく、屋根４の上面４３を流れる雨水が前記挟持部５６内で滞留しにくく、また挟持部５６としての強度を保持できるものであればよい。
【００２８】
これらの構造により、屋根４の後端部４７に軒樋５の軒樋本体５１を近接して配置することができるので、屋根４の上面４３を流れる雨水を軒樋本体５１にスムーズに導水しつつ、屋根部材４１のばたつき等の前記不具合を抑えることができる。
【００２９】
軒樋５を屋根４に取付ける際は、図１０に示すように、母屋３に固定された屋根４の後端部４７に向けて軒樋５をＹ方向、すなわち、軒樋５の挟持部５６内に前記後端部４７が挿入されるように移動する。続いて、軒樋５の連結部５４から屋根部材４１に向けて固定ビス５５を螺入して、屋根４に軒樋５を固定する。
【００３０】
屋根部材４１の製造時の僅かな寸法誤差や、製造後の反り等による僅かな寸法誤差が生じて、軒樋５の挟持部５６内に屋根４の後端部４７を挿入しにくい場合がある。したがって、前記挟持部５６の上下の内壁面間の寸法をやや大きい大突条４４の高さよりやや大きくしていてもよく、挟持部５６を開口側に向けて上下方向の寸法がやや幅広となるように形成してもよい。
【００３１】
また、屋根部材４１の大突条４４は、本形態では、正面視逆Ｕ字状となる山型に形成されており、図６に示すように、重合された大突条４４同士の頂部の間に隙間４８が設けられているので、やや大きい大突条４４は、挟持部５６に挿入した際において、上下方向の荷重によって撓みうるものであって、その撓みを大突条４４間の隙間４８で吸収しうるものが好ましい。
【００３２】
軒樋５は、一般にはアルミニウム合金による押出成型品を屋根４の左右方向の長さに合わせて切断して用いられるものであり、前記屋根４の左右方向の全長にわたって取付けられても比較的軽量となるため、施工が比較的容易であり、しかも該軒樋５の自重による屋根４の撓み等の不具合が生じにくくなって好ましいが、鋼材、アルミニウム合金等のアルミニウム合金以外の他の金属を用いてもよく、ポリ塩化ビニル、ウレタン樹脂、ＡＢＳ樹脂、ＡＡＳ樹脂等の熱可塑性合成樹脂を用いてもよい。
【産業上の利用可能性】
【００３３】
本発明は、屋根に対する軒樋の取付けが容易であり、また屋根の屋根部材のばたつき等の不具合を抑えることができるので、屋根を一面のみ有する、いわゆる片流れタイプの屋根構造のみならず、屋根が前後に配置され、中央から前端及び後端に向けて下る勾配である側面視山型形状の屋根の前端及び後端に軒樋を設けた形態、側面視逆山型形状の屋根の中央に軒樋を設けた形態等の軒樋の取付構造にも好適に利用することができる。
【符号の説明】
【００３４】
１    支柱
２    梁
２１  インナースリーブ
２２  固定ボルト
３    母屋
３１  固定ボルト
４    屋根
４１  屋根部材
４２  固定ビス
４２ａ  止水パッキン
４３  上面
４４  大突条
４５  重合部
４６  小突条
４７  後端部
４８  隙間
５    軒樋
５１  軒樋本体
５２  軒縦樋
５３  蓋
５４  連結部
５５  固定ビス
５５ａ  止水パッキン
５６  挟持部
５６ａ  上壁部
５６ｂ  下壁部
５６ｃ  縦壁部
５７  導水部
５７ａ  貫通孔
Ｘ    方向
Ｙ    方向
【図１】
2015187362.tif 000003
【図２】
2015187362.tif 000004
【図３】
2015187362.tif 000005
【図４】
2015187362.tif 000006
【図５】
2015187362.tif 000007
【図６】
2015187362.tif 000008
【図７】
2015187362.tif 000009
【図８】
2015187362.tif 000010
【図９】
2015187362.tif 000011
【図１０】
2015187362.tif 000012